(57)【要約】【課題】ライフスタイルの変化に対応して、短く安定して立てることができ、且つ、香炉を用いずとも安全に使用できるとの要求を立脚用の線香と、この線香の使用に適する線香立てと香炉との組み合わせからなる線香の立脚用セットの提供を図る。【解決手段】線香１１の基端面に立脚用孔１２を備え、この立脚用孔１２に線香立てに設けられた針を挿入することによって、炉灰なしでも線香を立てることができる。この立脚用孔１２は線香１１の基端側にのみ形成され、立脚用孔１２の先端から線香の先端までは中実である。この立脚用孔１２の全長は５〜３０mmであり、且つ、線香１１の全長の半分以下であることが望ましい。【選択図】          図１
0003137452.tif 000002
【実用新案登録請求の範囲】
【請求項１】
線香の基端面に立脚用孔を備え、この立脚用孔に線香立てに設けられた針を挿入することによって、炉灰なしでも線香を立てることができるようにしたものであり、この立脚用孔は線香の基端側にのみ形成され、立脚用孔の先端から線香の先端までは中実であることを特徴とする立脚用孔を備えた線香。
【請求項２】
上記の立脚用孔の全長は５〜３０mmであり、且つ、線香の全長の半分以下であることを特徴とする請求項１記載の立脚用孔を備えた線香。
【請求項３】
上記の線香の断面形状は、複数本の線香を合わせた形状を模してなるもので、外周線が実質的に複数の円弧により構成され、これらの各円弧部の弧の半径が互いに略等しく、且つ円弧の中心角が略等しく、これらの円弧の中心が略正多角形の頂点を構成するように配列されたものであることを特徴とする請求項２記載の立脚用孔を備えた線香。
【請求項４】
上記の各円弧の半径が０．５〜２mmをなし、且つ、各円弧の中心角が１２０〜３００度であり、集合線香の全長が２５〜１５０mmであり、線香の先端が傾斜した斜面を構成しており、この斜面の頂部が一つの円弧部の外周線上の中央であることを特徴とする請求項３記載の立脚用孔を備えた線香。
【請求項５】
請求項３又は４記載の立脚用孔を備えた線香と、この立脚用孔に挿入できる針を備えた線香立てと、香炉とを備え、
上記の香炉は上部が開口した有底の容器であり、
上記の線香立ては、自立性を有する基部と、この基部から上方に向けて立設された上記の針とを備え、
上記の基部は、その外周が上記の香炉の開口よりも大きくて香炉の上端に載せることができるものであることを特徴とする線香の立脚用セット。
【考案の詳細な説明】
【技術分野】
【０００１】
本願考案は、立脚用孔を備えた線香ならびに、この線香を立てるため線香の立脚用セットに関するものである。
【背景技術】
【０００２】
従来より、線香は仏様にお参りするときに必ずと言ってよいほど供えられてきた。この線香を供えるときには、香炉に炉灰を入れて、その炉灰の中に線香を突き立てているのが現状である。しかしながら、ライフスタイルの変化から、家庭内に仏壇を設ける家は少なくなり、設けた場合にあっても大きな仏壇を据えるのではなく、小さく、また、他の家具との調和を考慮したものとなってきた。このような仏壇が小型化されたにもかかわらず、線香は、香炉に供えられた炉灰の中に立てるものであるとの既成概念があった。
ところが、日々の生活で、線香を炉灰の中に立て、線香が燃え尽きるまで仏壇の前から離れないという人は僅かであり、簡単に拝むだけで仏壇から離れてしまう場合がほとんどである。そのため、線香が倒れて火災の原因となるとの心理も手伝って、線香を立てることなく、仏壇を拝むことが多くなり、一般家庭での線香の消費量は減少傾向にある。また香炉を用いた場合、これをひっくり返すと周囲が灰だらけになるなど、香炉自体を直し込んでしまっている家庭も少なくない。
【０００３】
そのため、特許文献１や２に示すような新たな形状の線香も提案されてはいるが実用化にはいたらず、旧来の線香のみが売れているのが現状である。特許文献１は、線香を両端の開口した筒状とすることを提案するものであるが、両端を開口した筒状とすると、煙突効果によって異常な燃焼が生じてしまう。特許文献２は、線香の断面形状を多角形などの円形以外の形状として転がりにくくすることを提案するものであるが。ところが、一本一本の線香の大きさは旧来と同じであり、ライフスタイルの変化に対応し得るものではなかった。
【０００４】
【特許文献１】実用新案登録第３０９４９７９号公報
【特許文献２】実用新案登録案３０８８７６５号公報
【考案の開示】
【考案が解決しようとする課題】
【０００５】
本願考案は、ライフスタイルの変化に対応して、短く安定して立てることができ、且つ、香炉を用いずとも安全に使用できる立脚用孔を備えた線香を提供することを目的とし、さらに、線香の使用に適する線香立てと香炉との組み合わせからなる線香の立脚用セットの提供を目的とする。
【課題を解決するための手段】
【０００６】
本願考案の線香は、線香の基端面に立脚用孔を備え、この立脚用孔に線香立てに設けられた針を挿入することによって、炉灰なしでも線香を立てることができるようにしたものであり、この立脚用孔は線香の基端側にのみ形成され、立脚用孔の先端から線香の先端までは中実であることを特徴とする立脚用孔を備えた線香を提供する。
本願の請求項２に係る考案は、上記の立脚用孔の全長は５〜３０mmであり、且つ、線香の全長の半分以下であることを特徴とする請求項１記載の立脚用孔を備えた線香を提供する。
本願の請求項３に係る考案は、上記の線香の断面形状が、複数本の線香を合わせた形状を模してなるもので、外周線が実質的に複数の円弧により構成され、これらの各円弧部の弧の半径が互いに略等しく、且つ円弧の中心角が略等しく、これらの円弧の中心が略正多角形の頂点を構成するように配列されたものであることを特徴とする請求項２記載の立脚用孔を備えた線香を提供する。
本願の請求項４に係る考案は、上記の各円弧の半径が０．５〜２mmをなし、且つ、各円弧の中心角が１２０〜３００度であり、集合線香の全長が２５〜１５０mmであり、線香の先端が傾斜した斜面を構成しており、この斜面の頂部が一つの円弧部の外周線上の中央であることを特徴とする請求項３記載の立脚用孔を備えた線香を提供する。
本願の請求項５に係る考案は、請求項３又は４記載の立脚用孔を備えた線香と、この立脚用孔に挿入できる針を備えた線香立てと、香炉とを備え、上記の香炉は上部が開口した有底の容器であり、上記の線香立ては、自立性を有する基部と、この基部から上方に向けて立設された上記の針とを備え、上記の基部は、その外周が上記の香炉の開口よりも大きくて香炉の上端に載せることができるものであることを特徴とする線香の立脚セットを提供する。
【考案の効果】
【０００７】
本願考案に係る立脚用孔を備えた線香は、その基端面に立脚用孔が形成されているため、香炉を用いずとも針を設けた線香立てに安定して立てることができる。しかも、この線香の立脚用孔は線香の基端側にのみ形成され、立脚用孔の先端から線香の先端までは中実であるため、全体が中空のパイプ状のような線香で生ずる以上燃焼が起こらず、通常の線香と同様の線香とかわりなく、使用できる。
特に、上記の立脚用孔の全長は５〜３０mmであり、且つ、線香の全長の半分以下とすることによって、上記の作用効果を確実に発揮し得る。
さらに、請求項３の考案にあっては、３本などの複数本の線香と同程度の太さを持ったもので、安定感があり、短く安定して立てることができる。しかも、複数の円弧部を備えた断面多円形状をなすものであり、この断面多円形状は、外周線が実質的に複数の円弧により構成され、これらの各円弧部の弧の半径が互いに略等しく、且つ円弧の中心角が略等しく、これらの円弧の中心が略正多角形の頂点を構成するように配列されたものであるため、通常の線香を複数本合わせて立てた線香としての外観を維持したものである。
。
請求項４に係る考案にあっては、立脚用孔を備えた線香の先端が傾斜した斜面を構成しており、この斜面の頂部が一つの円弧部の外周線上の中央であるため、断面積の小さな先端に着火することができ、良好な着火性を示すものである。
請求項５に係る考案にあっては、上記の立脚用孔を備えた線香と、この立脚用孔に挿入できる針を備えた線香立てと、香炉とを備え、上記の香炉は上部が開口した有底の容器であり、上記の線香立ては、自立性を有する基部と、この基部から上方に向けて立設された上記の針とを備え、上記の基部は、その外周が上記の香炉の開口よりも大きくて香炉の上端に載せることができるものであるため、香炉の上で安定して線香を焚くことができ、香炉に炉灰をいっぱいに溜めておく必要がない。他方、線香が燃えたあとの灰は、香炉に捨てることができるため、灰の捨て場に困ることもない。よって新たなライフスタイルに適合した線香の立脚用セットを提供することができたものである。
【考案を実施するための最良の形態】
【０００８】
以下、図面に基づき本願考案の実施の形態を説明する。
図１は本願考案に係る立脚用孔を備えた線香を示すもので、（Ａ）は正面図、（Ｂ）は平面図、（Ｃ）は側面図、（Ｄ）は正面図中央縦断面の斜視である。図２は、本願考案に係る線香の立脚用セットの斜視図である。
【０００９】
図１に示す線香１は、基端部に立脚用孔１２を備えたことを特徴とする線香１である。この立脚用孔を備えた線香１の断面形状は、円形、矩形等の多角形など、適宜変更して実施することができるが、図示の実施の形態では、複数本（この例では３本）の線香を合わせた形状を模したものとして実施している。この立脚用孔を備えた線香１は、軸方向と直交する断面において、複数（この例では３つ）の円弧部１１を備える。この円弧部１１は、模した線香の本数に対応するもので、２〜１０本、望ましくは３〜５本が適当である。立脚用孔を備えた線香１の全長は、２５〜１５０mmとすることができるが、特に、２５〜１００mmの短い線香として実施することが望ましい。
【００１０】
これらの各円弧部１１の弧の半径は、互いに略等しく設定されており、具体的には、０．５〜２mmが適当である。円弧の中心角は、互いに等しく設定されており、１２０〜３００度が適当である。１２０度より小さくなると、各円弧部１１が線香の外観を備えなくなり、大きくなると移送時時の衝撃で壊れやすくなってしまう。これらの円弧の中心は、正多角形の頂点を構成するように配列されたものであり、この多角形の角数は円弧の数と等しくなる。この例では、３本であり、３つの円弧部１１を備え、その中心は３個であり、正三角形をなすように、各中心が配設されている。
【００１１】
この立脚用孔を備えた線香１の基端面の中央には、立脚用孔１２が形成されている。この立脚用孔１２の長さは線香の全長の半分以下であり、５〜３０mmが特に適切であり、この例では、約８mmとされている。
【００１２】
また、この立脚用孔を備えた線香１の先端は、端面が傾斜した斜面１３を構成しており、この斜面１３の頂部（基端から一番遠い部分）が、一つの円弧部の外周線上の中央にある。これによって、線香の先端が細くなり着火性がよくなる。なお、立脚用孔を備えた線香１の先端の中心を一番高く（基端から一番遠く）することも可能である。
【００１３】
この立脚用孔を備えた線香１は、線香立て２を用いて立てることができる。この線香立て２は、自立性を有する基部２１と、この基部２１から上方に向けて立設された２５針とを備える。基部２１は、脚部２２と、この脚部２２の上部に設けられた皿部２３とを有するが、皿部２３のみで実施することもできる。この基部２１は、その外周が香炉３の開口３１よりも大きくて香炉３の上端に載せて用いることができる。この例では、皿部２３が香炉３の開口３１よりも大きく、開口３１上に載せることができるものであり、この皿部２３が載った状態で、脚部２２は香炉３の内部に収納されるものである。皿部２３は、灰を一時的に受けることがでるもので、線香が燃え尽きた後、受けた灰を香炉３に捨てるようにする。また、図示は省略するが、基部２１（特に皿部２３）を金網などの多数の空隙を有するものから構成することによって、燃えた灰は自然に香炉３内に収納され得るものである。
【図面の簡単な説明】
【００１４】
【図１】本願考案に係る立脚用孔を備えた線香を示すもので、（Ａ）は正面図、（Ｂ）は平面図、（Ｃ）は側面図、（Ｄ）は正面図中央縦断面の斜視である。
【図２】本願考案に係る線香の立脚用セットの斜視図である。
【符号の説明】
【００１５】
１    集合線香
２    線香立て
３    香炉
１１  円弧部
１２  立脚用孔
【図１】
0003137452.tif 000003
【図２】
0003137452.tif 000004